(57)【特許請求の範囲】
【請求項１】
縦弾性係数がＥｒ（N/mm2）、およびポアソン比がνｒの樹脂を被覆した直径ｄ（mm）のロープを、ロープ溝に縦弾性係数がＥｓ（N/mm2）、およびポアソン比がνｓであるメッキを施工した直径Ｄ（mm）のシーブで、ロープ張力Ｔ（N）をもって駆動させるエレベーターにおいて、
上記ロープとシーブの接触面に潤滑油が存在する状態で、両者間に必要とされる摩擦係数を維持する最低接触面圧をｐｌｍｔ（N/mm2）、かつ両者の接触面が清浄状態で、上記ロープの外層樹脂の摩耗量を許容値以下に抑える最大押込み量をδｌｍｔ（mm）とした場合、当該シーブのロープ溝面に施工するメッキの表面の突起数が１mm2当たりＮ個で、かつその突起先端の半径もしくは半径に相当する長さがｒ（mm）で、さらにこれらの突起群で形成される表面あらさＲａが、
（Ｒａ）ｍｉｎ≦Ｒａ≦（Ｒａ）ｍａｘ  （ｍｍ）
ただし、
【数１】
0004491020.tif 000010
ｒｐ：最小の表面あらさ（Ｒａ）ｍｉｎを実現するメッキ層１ｃ
の凸部先端の半径
Ｎｐ：最小の表面あらさ（Ｒａ）ｍｉｎを実現するメッキ層１ｃ
の単位接触面積当たりの突起個数
ｒδ：最大の表面あらさ（Ｒａ）ｍａｘを実現するメッキ層１ｃ
の凸部先端の半径
Ｎδ：最大の表面あらさ（Ｒａ）ｍａｘを実現するメッキ層１ｃ
の単位接触面積当たりの突起個数
ｗ：メッキ層１ｃの凸部一つにかかる荷重
Ｅ：接触面における等価縦弾性係数
であるメッキ層を有することを特徴としたエレベーター用シーブ。
【請求項２】
前記表面あらさＲａを、  0.9≦Ｒａ≦5.0  （μｍ）としたことを特徴とする請求項１記載のエレベーター用シーブ。
【発明の詳細な説明】
【技術分野】
【０００１】
本発明は、表面が樹脂等高分子材料で覆われた主索を駆動するエレベーター用シーブに関する。
【背景技術】
【０００２】
樹脂で覆われたロープあるいはベルトを主索に用いた場合、シーブにおける駆動力伝達面は樹脂材と金属材またはそれ相当材の直接接触になるため、摺動面には両者の凝着により大きな摩擦力が生まれる。摩擦力は駆動力伝達には不可欠であるが、摺動による摩耗、特に樹脂の摩耗に関しては促進する働きがある。このため、これら摩擦と摩耗の相反する関係に対して、摺動面における摩擦係数を摩擦と摩耗の両面から適正に設定する必要がある。
【０００３】
エレベーターの駆動システムの場合、ロープと接触する巻上機のシーブ溝面を適度に粗し、その後、フッ素化合物を含んだニッケル−りん金属間化合物を無電解メッキして摩擦と摩耗の両立を図っている（例えば、特許文献１参照）。しかしながら、この場合の表面性状では、シーブ溝面においてエレベーターの使用環境下で最も摩擦が低下する油濁時の摩擦係数をいかに低下させないかに力点を置き過ぎているため、樹脂の摩耗に対しては、樹脂自体の耐摩耗性に負うところが大変大きくなっている。すなわち、耐摩耗性の非常に高い特定の樹脂材にのみ適用できる極めて限定的な条件のうえで成り立っている。一般的な機械的特性をもつ現状の樹脂では、使用初期段階では成立するが、その後、エレベーターの稼働時間に伴って摩擦係数の上昇と摩耗量の急激な増加が見られ、長期的に安定なトラクションを得るには至っていない。
【０００４】
また、エレベーターの使用環境下で油濁状態になることを想定せず、樹脂の摩耗をいかに低減するかの一点でシーブ溝面の表面性状を設定したものもある（例えば、特許文献２参照）。
【特許文献１】特願２００６−１１６２８５号
【特許文献２】特表２００３−５１２２６９号
【発明の開示】
【発明が解決しようとする課題】
【０００５】
しかし、長期的に安定したトラクション特性を持つシーブを得るには次のような課題がある。すなわち、シーブ溝の表面には、ロープを被覆する樹脂材の機械的特性が一般的であっても、摩擦と摩耗特性が特殊仕様の樹脂材の場合と比較して大きく変化しない表面性状の設定が必要である。特にエレベーターの駆動システムの場合、ロープとシーブの接触面に潤滑油が付着する環境が想定されるが、この場合、摩擦係数は最も低下するため、油濁環境下での摩擦係数を所定の値以上に確保することが絶対必要条件となる。このため、潤滑油が付着しても摩擦係数を大幅に下げないことを目的として、シーブ溝面には所定の表面あらさが施されているが、一方で、シーブ溝面の表面あらさ、すなわち凹凸の大きさはロープの外層樹脂の摩耗速度を律速するので、耐摩耗性に非常に優れた特殊な樹脂材を用いずに摩耗速度を抑えるには、シーブ溝面の凹凸を小さくする必要がある。
【０００６】
そこで、この小さな凹凸を用いても油濁時の摩擦係数が大幅に下がらないメカニズムが必要となる。これには、従来のようなシーブ溝面の凹凸がロープの外層樹脂を引っ掻くことで摩擦力を生むしくみではなく、両者の接触面から付着した潤滑油を排除することで摩擦係数を上げるメカニズムの構築が必要と考える。したがって、樹脂の摩耗速度を可能な限り抑えること、かつ接触面から潤滑油を排除することの両方を実現するという大きな課題が存在する。
【０００７】
本発明の目的は、ロープを被覆する樹脂材が極めて特殊的あるいは限定的とならないようなシーブ溝の表面性状を持ち、かつロープとシーブにおけるトラクション特性を長期的に安定させることのできるエレベーター用シーブを提供するにある。
【課題を解決するための手段】
【０００８】
本発明は上記目的を達成するため、請求項１では、縦弾性係数がＥｒ（N/mm2）、およびポアソン比がνｒの樹脂を被覆した直径ｄ（mm）のロープを、ロープ溝に縦弾性係数がＥｓ（N/mm2）、およびポアソン比がνｓであるメッキを施工した直径Ｄ（mm）のシーブで、ロープ張力Ｔ（N）をもって駆動させるエレベーターにおいて、上記ロープとシーブの接触面に潤滑油が存在する状態で、両者間に必要とされる摩擦係数を維持する最低接触面圧をｐｌｍｔ（N/mm2）、かつ両者の接触面が清浄状態で、上記ロープの外層樹脂の摩耗量を許容値以下に抑える最大押込み量をδｌｍｔ（mm）とした場合、当該シーブのロープ溝面に施工するメッキの表面の突起数が１mm2当たりＮ個で、かつその突起先端の半径もしくは半径に相当する長さがｒ（mm）で、さらにこれらの突起群で形成される表面あらさＲａが、
（Ｒａ）ｍｉｎ≦Ｒａ≦（Ｒａ）ｍａｘ  （ｍｍ）
ただし、
【数２】
0004491020.tif 000002
【０００９】
ｒｐ：最小の表面あらさ（Ｒａ）ｍｉｎを実現するメッキ層１ｃ
の凸部先端の半径
Ｎｐ：最小の表面あらさ（Ｒａ）ｍｉｎを実現するメッキ層１ｃ
の単位接触面積当たりの突起個数
ｒδ：最大の表面あらさ（Ｒａ）ｍａｘを実現するメッキ層１ｃ
の凸部先端の半径
Ｎδ：最大の表面あらさ（Ｒａ）ｍａｘを実現するメッキ層１ｃ
の単位接触面積当たりの突起個数
ｗ：メッキ層１ｃの凸部一つにかかる荷重
Ｅ：接触面における等価縦弾性係数
であるメッキ層を有することを特徴とする。
【００１０】
上記構成とすることにより、シーブ溝表面の凸部における荷重と曲率半径は、接触面における面圧と凸部の押込み量を同時に規定することになるので、油濁時の摩擦係数の低下を防ぐ接触面の高面圧化と、樹脂の摩耗量を低減する凸部の低押込み化の間で最適化を行えば、潤滑油が付着しても摩擦係数を大幅に下げない低摩耗性のシーブ溝表面性状を得ることが可能となる。
【発明の効果】
【００１１】
本発明によれば、ロープあるいはベルトの被覆体には特殊な樹脂に限らず一般的な樹脂を用いることが可能となり、いずれの樹脂においても摺動に対する摩擦係数が安定的で、かつ樹脂に対して低摩耗なシーブを提供することができる。
【発明を実施するための最良の形態】
【００１２】
以下本発明のエレベーター用シーブの実施形態を図に基き説明する。
【００１３】
図１は本発明の一実施例を示すシーブの全体構成図、図２はシーブメッキ層とロープ外層被覆樹脂の接触面を表わす図、図３はシーブメッキ層とロープ外層被覆樹脂の接触面を表わす拡大図、図４はシーブメッキ層表面のあらさ形状を表わす図、図５突起半径と突起個数から導かれる表面あらさの等高線図、図６は回転式摩耗試験機の概略図、図７は回転式摩耗試験におけるロードセル荷重の時間変化を表わす図、図８は突起半径と突起個数から導かれる接触面圧の等高線図、図９は突起半径と突起個数から導かれる押込み量の等高線図、図１０は接触面圧と押込み量の限界線図、図１１は仕様を満たすシーブメッキ層の表面あらさの範囲を表わす図である。
【００１４】
図１において、シーブ１は、少なくとも駆動軸を連結するボス部１ａとロープにトラクションを伝達する溝部１ｂからなっている。シーブ溝部１ｂの表面にはメッキ層１ｃが施工され、メッキ層１ｃは表面あらさＲａと厚さｔを有している。このメッキ層１ｃは少なくともシーブ溝部１ｂの表面に施工されていればよく、メッキ方法によってはボス部１ａの内径面を除いた全面に施工されていても構わない。
【００１５】
シーブ溝部１ｂと樹脂被覆ロープ２の接触面近傍を拡大して図示すると、図２のようになる。ここでは、本発明の実施の一例として、縦弾性係数がＥｓ、ポアソン比がνｓであるメッキ層１ｃと、それぞれがＥｒおよびνｒである外層樹脂の樹脂被覆ロープ２について図示した。一般に、外層樹脂材の縦弾性係数Ｅｒは、メッキ層１ｃの縦弾性係数Ｅｓに比べて、
Ｅｒ＜＜Ｅｓ
であるので、接触面における両者の変形能を比較すると、外層樹脂の表面あらさはあまり両者間の接触状態には影響をおよぼさず、メッキ層１ｃの表面あらさＲａが支配的となる。したがって、シーブ溝部１ｂと樹脂被覆ロープ２の接触面には、メッキ層１ｃの凹凸によって接触部と非接触部が生まれ、この凸部の食い込みが摩擦力を大きくしている。
【００１６】
メッキ層１ｃの表面あらさＲａについては、模式的に以下のように考える。図３には、図２における樹脂被覆ロープ２の外層樹脂とメッキ層１ｃの接触部をさらに拡大して示すが、この場合、接触の状態を外層樹脂の変形によって二つに分けることができる。すなわち、図３aに示すように、外層樹脂がメッキ層１ｃの微小な凹凸には倣って変形し、図３のスケールレベルでは両者の間に隙間が生じない場合、図３bに示すように、外層樹脂がメッキ層１ｃの微小な凹凸にも倣いきれず、図３のスケールレベルでも両者の間に隙間が存在する場合の二つである。図３aの場合、メッキ層１ｃの表面あらさＲａは、図２のスケールレベルにおける凹凸寸法に相当する。一方、図３bの場合、図２のスケールレベルにおける凹凸はうねり成分とし、メッキ層１ｃの表面あらさＲａは、うねり上に存在する図３のスケールレベルにおける凹凸寸法に相当する。
【００１７】
したがって、メッキ層１ｃの表面あらさＲａを樹脂被覆ロープ２の外層樹脂によって規定する場合、凹凸部における両者間の隙間の有無が外層樹脂材の縦弾性係数Ｅｒによってどのスケールレベルになるのかを明確にしなければならない。これは、メッキ層１ｃの凸部の押込み量δがこの凸部先端の半径をｒとすると、ヘルツの接触式から、
【数３】
0004491020.tif 000003
【００１８】
ここで、δ：メッキ層１ｃの凸部の押込み量
ｒ：メッキ層１ｃの凸部先端の半径
ｗ：メッキ層１ｃの凸部一つにかかる荷重
Ｔ：ロープ張力
ｄ：樹脂被覆ロープ２の直径
Ｄ：シーブ１の直径
Ｎ：メッキ層１ｃの単位接触面積当たりの突起個数
Ｅ：接触面における等価縦弾性係数
Ｅｓ、νｓ：メッキ層１ｃの縦弾性係数およびポアソン比
Ｅｒ、νｒ：外層樹脂材の縦弾性係数およびポアソン比
となり、式（1）から得られる凸部の押込み量δと凸部の高さの関係から知ることができる。そしてこの結果から、外層樹脂材の縦弾性係数Ｅｒに対応した測定区間Ｌが決定する。上記図３aの場合、メッキ層１ｃの有効表面あらさＲａは図２のＬに対応した部分、図３bの場合、有効表面あらさＲａは図３のＬに対応した部分となる。
【００１９】
メッキ層１ｃの突起数Ｎは、上述の表面あらさＲａを測定する有効区間Ｌにおける凸部の個数から推定し、測定区間Ｌ内の個数をこの領域における外層樹脂とメッキ層１ｃの見かけの接触面積で割って単位接触面積当たりの個数で表わす。
【００２０】
実際のメッキ層１ｃの凸部は、各種メッキの方法によって多少差異はあるが、凸部先端の形態が大方図４ａ、図４ｂに示すような球面もしくはそれ相当の形状をしている。この形状においては、メッキ層１ｃの凸部における突起半径ｒと突起個数Ｎの関係に、図４ｂに示すような幾何学上、次式で表わされる限界線が存在する。すなわち、
【数４】
0004491020.tif 000004
【００２１】
ここで、Ｎ：メッキ層１ｃの単位接触面積当たりの突起個数
ｒ：メッキ層１ｃの凸部先端の半径
である。
【００２２】
このような凸部先端の形態を考えると、実際は上記図３aのように外層樹脂が凹凸に倣って変形する場合が多く、この凹凸が有効表面あらさＲａとはならない。メッキする前にシーブ溝部１ｂを粗して得られた母材の凹凸が有効表面あらさＲａとなる。一方、外層樹脂材の縦弾性係数Ｅｒが大きい場合等、図３bのように外層樹脂が凹凸に倣って変形しない場合には、この凹凸が有効表面あらさＲａとなる。ここで、前者の場合はシーブ溝部１ｂの母材の凹凸が有効表面あらさＲａとなるため、メッキ施工後に表面あらさが大きく変化しないように、メッキ層１ｃの施工厚さには注意が必要である。通常、幾何学的に考えて、施工厚さは母材の表面あらさＲａ分までに抑えることが望ましい。
【００２３】
以上のことから、例えば縦弾性係数等、外層樹脂材の機械的特性値が変われば、外層樹脂とメッキ層１ｃの接触状態が変化するため、それぞれの外層樹脂に合わせたメッキ層１ｃの表面あらさＲａを決定しなければならないことがわかる。これには、表面あらさＲａの大きさをシーブ溝部１ｂにおける母材の凹凸から得るのか、あるいはメッキ施工によって得るのか、の選択も含まれる。
【００２４】
そこで、メッキ層１ｃの表面あらさＲａを決定する方法として、以下に一例を示す。図５に、図４に示した凹凸形状の表面あらさＲａを凸部先端の突起半径ｒと突起個数Ｎの関係から求め、等高線図化したグラフを示す。突起半径ｒと突起個数Ｎから表面あらさＲａを求める式は、以下のとおりである。すなわち、
【数５】
0004491020.tif 000005
【００２５】
ここで、Ｒａ：表面あらさ
ｒ：突起半径
Ｎ：突起個数
である。ここで、式（3）に代入できる突起半径ｒと突起個数Ｎは、前述のように幾何学上成立しない式（2）で表わされる限界線があるため、あらゆる組み合わせとはならない。そのため、表面あらさＲａにも図５中に点線で示した限界線が存在する。図５の表面あらさＲａに関する等高線図を用いれば、凸部先端の突起半径ｒと突起個数Ｎから任意の表面あらさＲａを得ることができる。
【００２６】
次に、エレベーターの駆動システムの場合を例にして、シーブ１と樹脂被覆ロープ２のトラクション特性に必要なメッキ層１ｃの表面あらさＲａを決定するため、油濁時の摩擦特性と外層樹脂の摩耗量を因子とした最適設計を行った。そのために必要な摩擦・摩耗特性の把握を目的として、以下の試験を実施した。縦弾性係数Ｅｓおよびポアソン比νｓのメッキ層１ｃが施工され、表面あらさＲａを有するシーブ１と、それぞれがＥｒおよびνｒである外層樹脂の樹脂被覆ロープ２を用いて、図６に示す回転式摩耗試験から両者間に生じる摩擦特性と樹脂被覆ロープ２の外層樹脂の摩耗量を測定した。回転式摩耗試験は、架台５上で回転するシーブ１に一端をおもり３で、他端をロードセル４で固定した樹脂被覆ロープ２を掛けて行った。図７には、ロードセル４にかかる荷重の時間変化を模式的に示す。シーブ１のメッキ層１ｃと樹脂被覆ロープ２の外層樹脂との間の摩擦係数μは、おもり３の質量とロードセル４にかかる荷重を次式に代入することによって得られる。すなわち、
【数６】
0004491020.tif 000006
【００２７】
ここで、μ：メッキ層１ｃと外層樹脂の間の摩擦係数
θ：シーブ１における樹脂被覆ロープ２の巻き角
ＴＤ：おもり３の質量
ＴＭ：ロードセル４にかかる荷重
試験は、様々な表面あらさＲａを有するシーブ１と様々な縦弾性係数Ｅｒを有する外層樹脂で被覆した樹脂被覆ロープ２を組み合わせて行い、接触面に潤滑油が付着した場合の摩擦係数μと、清浄時における外層樹脂の摩耗量を測定した。そして、組み合わせによる測定結果の相違を比較検討した。
【００２８】
接触面に潤滑油が付着した場合の摩擦係数μは清浄時の場合に比べて低下するが、低下幅を抑えるには接触面から潤滑油を排除することが必要である。それには、メッキ層１ｃの有効凸部先端の近傍における接触面圧ｐを高めることである。図８には、凸部先端の突起半径ｒと突起個数Ｎの関係からメッキ層１ｃの有効凸部先端に発生する接触面圧ｐを、等面圧分布の形式で示した。凸部先端に発生する接触面圧ｐは、次に示すヘルツの接触式から算出した。すなわち、
【数７】
0004491020.tif 000007
【００２９】
ここで、ｐ：メッキ層１ｃの凸部先端に発生する接触面圧
ｒ：メッキ層１ｃの凸部先端の半径
ｗ：メッキ層１ｃの凸部一つにかかる荷重
Ｔ：ロープ張力
ｄ：樹脂被覆ロープ２の直径
Ｄ：シーブ１の直径
Ｎ：メッキ層１ｃの単位接触面積当たりの突起個数
Ｅ：接触面における等価縦弾性係数
Ｅｓ、νｓ：メッキ層１ｃの縦弾性係数およびポアソン比
Ｅｒ、νｒ：外層樹脂材の縦弾性係数およびポアソン比
である。
【００３０】
図８からわかるように、メッキ層１ｃの有効凸部における突起半径ｒと突起個数Ｎを規定することによって、発生する接触面圧ｐを制御することができる。
【００３１】
一方、清浄時における外層樹脂の摩耗量を低減するには、メッキ層１ｃの有効凸部の外層樹脂への押込み量δを小さくすることが必要である。この押込み量δを小さくするには、式（1）からわかるように、外層樹脂材の縦弾性係数Ｅｒを大きくすればよいが、外層樹脂材の縦弾性係数Ｅｒを変えずに押込み量δを制御するには、上記と同様にメッキ層１ｃの有効凸部における突起半径ｒと突起個数Ｎを規定することで可能となる。図９には、凸部先端の突起半径ｒと突起個数Ｎの関係からメッキ層１ｃの有効凸部の押込み量δを、等押込み量分布の形式で示した。図９からわかるように、メッキ層１ｃの有効凸部における突起半径ｒと突起個数Ｎを規定することによって、外層樹脂への押込み量δを制御することができる。
【００３２】
以上のように、図８および図９からメッキ層１ｃの有効凸部における突起半径ｒと突起個数Ｎを規定すれば、凸部に発生する接触面圧ｐと外層樹脂への押込み量δを同時に制御することが可能になる。
【００３３】
そこで、エレベーターの駆動システムに求められる条件の一例から、メッキ層１ｃの表面あらさＲａの採り得る範囲を求める。例えば、
仕様１：油濁環境下での摩擦係数μが0.21以上であること
仕様２：外層樹脂の摩耗量を0.5mm以下にすること
を仕様とした場合、先に述べた様々な組み合わせの回転式摩耗試験結果から、仕様１において必要な最低接触面圧ｐｌｍｔと、仕様２において実現するための最大許容押込み量δｌｍｔが求められる。
【００３４】
この場合、最低接触面圧ｐｌｍｔは、
ｐｌｍｔ＝3.2  （MPa）
であり、最大許容押込み量δｌｍｔは、
δｌｍｔ＝28  （μｍ）
である。
【００３５】
したがって、図１０に示すハッチング領域がこの場合の仕様を満足する突起半径ｒと突起個数Ｎの範囲となる。これを図５に示した表面あらさＲａの等高線図に重ね合わせると、図１１のようになる。図１１によると、この仕様の場合、エレベーターの駆動システムが長期間安定的に成り立つには、メッキ層１ｃの表面あらさＲａが、
0.9≦Ｒａ≦5.0  （μｍ）
の範囲にあることが必要であることがわかる。
【００３６】
最後に、上記以外の仕様に対して、メッキ層１ｃの表面あらさＲａが採り得る範囲を考える。図５に示すように、メッキ層１ｃの凸部先端の突起半径ｒと突起個数Ｎの関係から等高線図化した表面あらさＲａの分布を見ると、同じ突起個数Ｎにおいては、突起半径ｒが小さいほど表面あらさＲａは大きくなる。したがって、上記（２）の外層樹脂の許容摩耗量から求めた最大許容押込み量δｌｍｔの限界線が採り得る最大の表面あらさ（Ｒａ）ｍａｘは、この限界線と式（2）で表わされる線と表面あらさＲａを表わす線の三重点の値となる。すなわち、式（3）に式（2）および式（1）を代入して得られる値、
【数８】
0004491020.tif 000008
【００３７】
ここで、（Ｒａ）ｍａｘ：最大許容押込み量δｌｍｔの限界線が採り得る
表面あらさの最大値
ｒδ：最大の表面あらさ（Ｒａ）ｍａｘを実現するメッキ層１ｃ
の凸部先端の半径
Ｎδ：最大の表面あらさ（Ｒａ）ｍａｘを実現するメッキ層１ｃ
の単位接触面積当たりの突起個数
δｌｍｔ：外層樹脂の許容摩耗量から求めた最大許容押込み量
ｗ：メッキ層１ｃの凸部一つにかかる荷重
Ｔ：ロープ張力
ｄ：樹脂被覆ロープ２の直径
Ｄ：シーブ１の直径
Ｅ：接触面における等価縦弾性係数
Ｅｓ、νｓ：メッキ層１ｃの縦弾性係数およびポアソン比
Ｅｒ、νｒ：外層樹脂材の縦弾性係数およびポアソン比
が採り得る最大の表面あらさ（Ｒａ）ｍａｘとなる。一方、同じ突起半径ｒにおいては、突起個数Ｎが大きいほど表面あらさＲａは小さくなるので、上記仕様１の油濁環境下での許容摩擦係数μから求めた最低必要接触面圧ｐｌｍｔの限界線が採り得る最小の表面あらさ（Ｒａ）ｍｉｎは、この限界線と式（2）で表わされる線と表面あらさＲａを表わす線の三重点の値となる。すなわち、式（6）のｒδとＮδをｒｐとＮｐに置き換えた次式、
【数９】
0004491020.tif 000009
【００３８】
ここで、（Ｒａ）ｍｉｎ：最低必要接触面圧ｐｌｍｔの限界線が採り得る
表面あらさの最小値
ｒｐ：最小の表面あらさ（Ｒａ）ｍｉｎを実現するメッキ層１ｃ
の凸部先端の半径
Ｎｐ：最小の表面あらさ（Ｒａ）ｍｉｎを実現するメッキ層１ｃ
の単位接触面積当たりの突起個数
ｐｌｍｔ：油濁環境下での許容摩擦係数μから求めた最低必要接触
面圧
ｗ：メッキ層１ｃの凸部一つにかかる荷重
Ｔ：ロープ張力
ｄ：樹脂被覆ロープ２の直径
Ｄ：シーブ１の直径
Ｅ：接触面における等価縦弾性係数
Ｅｓ、νｓ：メッキ層１ｃの縦弾性係数およびポアソン比
Ｅｒ、νｒ：外層樹脂材の縦弾性係数およびポアソン比
が採り得る最小の表面あらさ（Ｒａ）ｍｉｎとなる。
【図面の簡単な説明】
【００３９】
【図１】本発明の一実施例を示すシーブの全体構成図である。
【図２】シーブメッキ層とロープ外層被覆樹脂の接触面を表わす図である。
【図３】シーブメッキ層とロープ外層被覆樹脂の接触面を表わす拡大図である。
【図４】シーブメッキ層表面のあらさ形状を表わす図である。
【図５】突起半径と突起個数から導かれる表面あらさの等高線図である。
【図６】回転式摩耗試験機の概略図である。
【図７】回転式摩耗試験におけるロードセル荷重の時間変化を表わす図である。
【図８】突起半径と突起個数から導かれる接触面圧の等高線図である。
【図９】突起半径と突起個数から導かれる押込み量の等高線図である。
【図１０】接触面圧と押込み量の限界線図である。
【図１１】仕様を満たすシーブメッキ層の表面あらさの範囲を表わす図である。
【符号の説明】
【００４０】
１    シーブ
１ａ  シーブボス部
１ｂ  シーブ溝部
１ｃ  メッキ層
２    樹脂被覆ロープ
３    おもり
４    ロードセル
５    架台
【図１】
0004491020.tif 000011
【図２】
0004491020.tif 000012
【図３】
0004491020.tif 000013
【図４】
0004491020.tif 000014
【図５】
0004491020.tif 000015
【図６】
0004491020.tif 000016
【図７】
0004491020.tif 000017
【図８】
0004491020.tif 000018
【図９】
0004491020.tif 000019
【図１０】
0004491020.tif 000020
【図１１】
0004491020.tif 000021